(57)【要約】【課題】枠体の側縁まで画像印刷ができるようにした写真台帳の提供。【解決手段】台紙１の表面に、写真３を表示する中央開口部２１を持った額縁状の枠体２を貼付してなる写真台帳において、額縁状の枠体２の枠２２を横断面山型状としている。【選択図】図１
2009279916.tif 000002
【特許請求の範囲】
【請求項１】
台紙１の表面に、写真３を表示する中央開口部２１を持った額縁状の枠体２を貼付してなる写真台帳において、額縁状の枠体２の枠２２を横断面山型状としてなる写真台帳
【請求項２】
枠２２の内外側面の一方又は両方をＶ字カット面としてなる請求項１記載の写真台帳
【請求項３】
折り畳み可能に複数枚の台紙をシート紙で連接するとともに、各台紙に額縁状の枠体を貼付し、折り畳み時に画像や文字が連続性を持つように台紙の表裏面に画像印刷してなる写真アルバム帳
【請求項４】
台紙の表面に中央開口部を有し、枠を横断面山型状としてなる枠体を貼付する工程と、所望の画像や文字を台紙表面に印刷する工程と、写真を中央開口部に挿入保持する工程とからなる写真台帳の製造方法
【請求項５】
写真を台紙に貼付する工程、写真を表示する中央開口部を有し、枠を横断面山型状としてなる枠体を貼付する工程と、所望の画像や文字を台紙表面に印刷する工程とからなる写真台帳の製造方法
【発明の詳細な説明】
【技術分野】
【０００１】  本発明は、枠付き写真アルバム及びその製造方法に関するものである。
【背景技術】
【０００２】  従来より、この種枠付き写真アルバムは種々あるが、写真と台紙や枠体とに連続性がなく、単に写真を止めるための台紙や枠体としての機能しか働かないため、面白味の欠けたアルバムとなっていた。【０００３】  そこで、枠体に模様を施して面白味を持たせたアルバムが開発されている。（特許文献１、２、３）。【０００４】  しかし、このような写真アルバムは、枠体の側縁を垂直に切断しているため、側面は印刷時の死角となる。そのため写真台帳に画像を印刷しても枠の側縁は無模様となり枠体と写真との連続感を持たせることは出来なかった。【０００５】
【特許文献１】実開昭５２−１７６１７号公報
【特許文献２】特開２００４−１８８６６３号公報
【特許文献３】特開２００７−１９０７６４号公報
【発明の開示】
【発明が解決しようとする課題】
【０００６】  本発明は、台紙、枠体及び写真とに一体感を持たせるように写真台帳に画像を印刷することによって、斬新で、面白みを持った写真アルバムを提供しようとするものである。
【課題を解決するための手段】
【０００７】  このような問題点を解決するために、第１発明は、台紙１の表面に、写真３を露出する中央開口部２１を持った額縁状の枠体２を貼付してなる写真台帳において、額縁状の枠体２の枠２２を横断面山型状としてなることを特徴とするものである。【０００８】  また、第２発明は、枠２の内外側面の一方又は両方を横断面台形となるようにＶ字カット面としてなることを特徴とするものである。【０００９】  第３発明は、折り畳み可能に複数枚の台紙をシート紙で連接するとともに、各台紙に額縁状の枠体を貼付し、折り畳み時に画像が連続性を持つように台紙の表裏面に画像印刷してなることを特徴とするアルバム帳に関するものである。【００１０】  第４発明は、台紙の表面に中央開口部を有し枠を横断面山型状としてなる額縁状の枠体を貼付する工程と、所望の画像を台紙表面に印刷する工程と、写真を中央開口部に挿入保持する工程とからなる写真台帳の製造方法に関するものである。【００１１】  第５発明は、任意の画像処理を施した写真本体に、写真を表示する中央開口部を持ち枠に任意の模様の透孔を設けた額縁状の枠体を貼付してなる写真台紙に関するものである。
【発明の効果】
【００１２】  本発明は、このような構成であるので、第１発明によれば、額縁状の枠体２の枠２２を横断面山型状としている結果、枠の側縁Ｓが印刷するときの死角とならず写真台帳の全面に画像印刷Ｐすると、額縁状の枠体２の側縁にも印刷することが出来る。そのため、画像が側縁で途切れることなく連続性を維持するので見栄えの良いアルバムなどとすることが出来る。特に、厚みがある枠体の場合には段差が目立つため違和感を持ちやすくより効果的である。【００１３】  また、写真と一体感のある画像を印刷するときには、額縁状の枠体の側縁で途切れることは折角の面白みも欠けてしまうことがあるが、第１発明によれば額縁状の枠体の枠が横断面山型状であると印刷する上で死角が生じず連続性を保つことが出来る。【００１４】  第２発明によれば、図４（ａ）〜（ｃ）のように枠２２の内外側縁の一方又は両方をＶ字カットの面とすると、境界が明確となるにも拘らずその連続性を楽しむことが出来る。【００１５】  第３発明によれば、折畳み可能に連接した台紙４１に額縁状の枠体４３を貼付し、折畳み時に表裏面の画像が連続性を持つように台紙４１の表裏面に画像印刷しているので、意外性のある写真アルバムを提供することが出来る。【００１６】  例えば、第１台紙、第２台紙、第３台紙からなる三つ折の写真帳の場合、折畳時に中間に狭持される第３台紙の裏面の画像と第２台紙の表面の画像とが同一の画像であって折畳時に重なる個所に描き、第１台紙と第２台紙の表面画像に連続性を持たせておくと、写真帳を開くと、第３台紙の裏面画像と第１台紙の表面画像と同様の連続性を持った面白味のある写真帳を提供できる。【００１７】  第４発明によれば、台紙に額縁状の枠体を貼付した後に台紙表面に画像を印刷し、写真を枠体開口部内に保持するようにしているので、従来のもののように枠体と台紙とを別個に印刷するのではなく一体的に印刷することとなる。従って、工程の簡略化のみならず、枠体と台紙との画像のずれが生じにくいので一体感のある画像を提供することができる。
【発明を実施するための最良の形態】
【実施例】
【００１８】
【００１９】  実施例について図面を参照して説明すると、図１において、１は台紙であって、表面に写真３を表出する中央開口部２１を持った額縁状の枠体２を貼付している。台紙１と額縁状の枠体２との一部は写真３を差し込む隙間４を設けるように貼付している。また、額縁状の枠体２の枠２２は、横断面山型状としている。【００２０】  上記のような構成であるので、図３のように、額縁状の枠体２を貼付した台紙１に、写真に似合う図柄を台紙１に印刷すると額縁状の枠体２だけでなく枠２２の斜面にまで画像を印刷することが出来る。そのため、写真３を隙間４から差込み枠体２の中央開口部２１から表出させると台紙１と写真３とが一体性を持つ写真台帳となり人の趣味感を満足させることが期待できるものとなる。【００２１】  なお、画像の印刷は台紙の上方よりなされるので、枠の側面にも印刷できるようにするため枠２２の山型形状としては、図４の枠２２の横断面図のような種々の形状が考えられる。【００２２】  図５、図６、図７において、４０は写真アルバム帳であり、４１は台紙であって、任意数枚を並設し、シート紙４２で連接している。４３は、額縁状の枠体であって、各台紙４１上に貼付している。４４は写真であり、４５は画像であって、画像４５はアルバム帳の折畳み時に画像が連続性を持つように台紙の表裏面に画像を印刷している。【００２３】図６は、画像印刷済みの写真アルバム帳の内側面であり、図７はその外側面である。【００２４】  次に、本発明の製造方法について詳述すると、台紙と枠体との間に写真挿入口となる間隙を設けるように台紙に枠体を貼付する。【００２５】  そして、一体となった台紙と枠体の表面に任意の画像を印刷する。【００２６】  その後、写真を写真挿入口より挿入固定する。【００２７】  このように写真を画像印刷後に挿入固定することによって、画像とのバランスなどを考慮しながら写真の位置決めをすることができる。【００２８】  また、本発明の他の製造方法としては、写真を台紙に貼付する工程、写真を表示する中央開口部を有し、枠を横断面山型状としてなる枠体を貼付する工程と、所望の画像や文字を台紙表面に印刷する工程とからなる方法もある。【００２９】  この場合には、写真と台紙と枠体とを連続した画像や文字を印刷する場合には、一体的に印刷することができる。【００３０】  図８（ａ）（ｂ）において、７１は、写真であって任意の画像処理７４を施している。７２は、枠体であって枠に任意の形状の透孔７３を設けている。【００３１】  このようにすることによって、写真背景に画像処理（グラーデーション）７４を施し、写真本体７１に画像処理をするとともに、枠体７２の枠に任意の模様の透孔７３を設けているので、図８（ｃ）のように、透孔から写真の背景である画像処理したグラデーション部分が顕出することとなり面白みのある写真台帳とすることが出来る。
【図面の簡単な説明】
【００３２】
【図１】本発明の分解斜視図である。
【図２】本発明の一実施形態の正面図である。
【図３】本発明の一実施形態の平面図である。
【図４】本発明で使用する枠体の端面図である。
【図５】本発明の他の実施形態の正面図である。
【図６】本発明の他の実施形態の平面図である。
【図７】本発明の他の実施形態の背面図である。
【図８】本発明の他の実施形態の製造工程を示す平面図である。
【符号の説明】
【００３３】  １    台紙
２    枠体
３    写真
４    隙間
Ｓ    枠の側縁
Ｐ    画像印刷
２１    中央開口部
２２    枠
４０    写真アルバム帳
４１    台紙
４２    シート紙
４３    枠体
４４    写真
４５    画像
【図１】
2009279916.tif 000003
【図２】
2009279916.tif 000004
【図３】
2009279916.tif 000005
【図４】
2009279916.tif 000006
【図５】
2009279916.tif 000007
【図６】
2009279916.tif 000008
【図７】
2009279916.tif 000009
【図８】
2009279916.tif 000010